(57)【要約】【課題】装置の状態を監視した結果に基づいて開錠を行う施錠システムを提供する。【解決手段】ガラス枠１１１の右上部裏面には開閉監視用ＩＣタグ８６が、対向する本体枠１１０には監視用アンテナ６８が接着され、木枠１１２の右側の枠内側には開閉監視用ＩＣタグ１８６が、対向する本体枠１１０には監視用アンテナ１６８が接着されている。これらのアンテナとＩＣタグとの距離は設置された枠が閉鎖された状態で約３ｍｍになるように配置され、Ｒ／Ｗユニットがアンテナを介してＩＣタグを常時ポーリングする。ガラス枠１１１又は本体枠１１０が開放され、アンテナとＩＣタグの距離が約５ｍｍを超えると通信不能になりすぐに検知される。鍵穴１２０の上方には鍵用アンテナ１２８が埋め込まれ、鍵用ＩＣタグを内蔵した鍵を挿入するとＲ／ＷユニットがＩＤコードを読み取り、登録済のＩＤであった場合のみ施錠用ソレノイドをＯＮしてプランジャを引き、開錠する。【選択図】　図６
2004084468.tif 000002
【特許請求の範囲】
【請求項１】
施錠用ＩＣタグと、その施錠用ＩＣタグと通信を行うＩＣタグ監視装置と、そのＩＣタグ監視装置の監視結果に基づき装置の施錠及び開錠を行う施錠装置とからなる施錠システムであって、
前記施錠用ＩＣタグは、
他のＩＣタグと区別するための識別データを記憶し、
前記ＩＣタグ監視装置から送信される呼出波に応答して反射波を放出するＲＦ回路を備え、
前記ＩＣタグ監視装置は、
前記施錠用ＩＣタグを呼び出す前記呼出波を送信する第１送信手段と、
前記施錠用ＩＣタグから返送される前記反射波を受信する第１受信手段と、
前記第１送信手段及び前記第１受信手段に接続された鍵用アンテナと、
前記第１送信手段が前記呼出波を送信してから所定時間内に前記第１受信手段が予め登録されている登録データと同一の識別データを含む前記反射波を受信した場合に正常と判定する鍵判定手段と、
その鍵判定手段による鍵判定結果を外部に出力する第１出力手段とを備え、
前記施錠装置は、
前記施錠用ＩＣタグを備えた鍵と、
前記鍵用アンテナを備え、前記鍵が挿入される錠とを備えたことを特徴とする施錠システム。
【請求項２】
前記施錠装置は、
前記第１出力手段から出力される前記鍵判定結果を受信する第２受信手段と、前記第２受信手段が受信した前記鍵判定結果が正常である場合に開錠する開錠手段とを備えたことを特徴とする請求項１に記載の施錠システム。
【請求項３】
前記第１出力手段は、前記鍵判定結果、又は、前記第１受信手段が前記反射波を受信できない通信不能状態から前記反射波を受信できる通信可能状態になった時点の時刻である鍵挿入時刻及び受信された反射波に含まれる識別データ、前記通信可能状態から前記通信不能状態になった時点の時刻である鍵引抜時刻、もしくは、予め登録されている登録データと異なる識別データが受信された時点の時刻である鍵ＩＤ異常時刻及び受信された反射波に含まれる識別データのうち少なくとも１つを含む鍵監視履歴データを出力することを特徴とする請求項１又は２に記載の施錠システム。
【請求項４】
他のＩＣタグと区別するための識別データを記憶し、装置を開閉する開閉部材又はその開閉部材の近傍の装置本体に設けられた開閉監視用ＩＣタグを備え、
前記ＩＣタグ監視装置は、
前記開閉監視用ＩＣタグを呼び出す呼出波を送信する第２送信手段と、
前記開閉監視用ＩＣタグから返送される反射波を受信する第３受信手段と、
前記第２送信手段及び前記第３受信手段に接続された監視用アンテナと、
前記第２送信手段が呼出波を送信してから所定時間内に前記第３受信手段が予め登録されている登録データと同一の識別データを含む反射波を受信した場合に正常と判定する開閉判定手段と、
その開閉判定手段による開閉判定結果を含む開閉監視履歴データを外部に出力する第２出力手段とを備えたことを特徴とする請求項１乃至３のいずれかに記載の施錠システム。
【請求項５】
前記ＩＣタグ監視装置は、前記鍵判定結果及び前記開閉判定結果の双方が異常であった場合に報知を行う報知手段を備えたことを特徴とする請求項４に記載の施錠システム。
【請求項６】
前記監視用アンテナは、前記開閉監視用ＩＣタグが前記開閉部材に設けられている場合はその近傍の装置本体に、前記開閉監視用ＩＣタグが前記装置本体に設けられている場合はその近傍の前記開閉部材に設けられ、前記監視用アンテナと前記開閉監視用ＩＣタグとは前記開閉部材が閉鎖状態のときには通信可能であり前記開閉部材が開放状態のときには通信不能となることを特徴とする請求項４又は５に記載の施錠システム。
【請求項７】
前記開閉監視履歴データは、前記第３受信手段が前記反射波を受信できる通信可能状態から前記反射波を受信できない通信不能状態となった時点の時刻である消失時刻、前記通信不能状態から前記通信可能状態になった時点の時刻である復帰時刻、又は、予め登録されている登録データと異なる識別データが受信された時点の時刻であるＩＤ異常時刻のうち少なくとも１つを含むことを特徴とする請求項４乃至６のいずれかに記載の施錠システム。
【請求項８】
施錠用ＩＣタグと、開閉監視用ＩＣタグと、前記施錠用ＩＣタグ及び前記開閉監視用ＩＣタグと通信を行うＩＣタグ監視装置と、そのＩＣタグ監視装置の監視結果に基づき装置の施錠及び開錠を行う施錠装置とからなる施錠システムであって、
前記施錠用ＩＣタグは、
他のＩＣタグと区別するための識別データを記憶し、
ＩＣタグ監視装置から送信される呼出波に応答して反射波を放出する第１ＲＦ回路を備え、
前記開閉監視用ＩＣタグは、
他のＩＣタグと区別するための識別データを記憶し、
ＩＣタグ監視装置から送信される呼出波に応答して反射波を放出する第２ＲＦ回路を備え、
装置の開閉する開閉部材又はその開閉部材の近傍の装置本体に設けられ、
前記ＩＣタグ監視装置は、
前記施錠用ＩＣタグ又は前記開閉監視用ＩＣタグを呼び出す前記呼出波を送信する送信手段と、
前記開閉監視用ＩＣタグ又は前記開閉監視用ＩＣタグから返送される前記反射波を受信する受信手段と、
前記送信手段及び前記受信手段に接続されたアンテナと、
前記送信手段が開閉監視用ＩＣタグに前記呼出波を送信してから所定時間内に前記受信手段が予め登録されている登録データと同一の識別データを含む前記反射波を受信せず、かつ、前記送信手段が前記施錠用ＩＣタグに前記呼出波を送信してから所定時間内に前記受信手段が予め登録されている登録データと同一の識別データを含む前記反射波を受信しなかった場合に異常と判定する判定手段と、
前記判定手段による判定結果を外部に出力する出力手段とを備え、
前記施錠装置は、
前記施錠用ＩＣタグを備えた鍵と、
前記アンテナを備え、前記鍵が挿入される錠とを備えたことを特徴とする施錠システム。
【請求項９】
請求項１乃至８のいずれかに記載の施錠システムを備えた遊技機。
【請求項１０】
請求項１乃至７のいずれかに記載の施錠システムを備えた装置とその装置を管理する管理機とがネットワークを介して接続された装置管理システムであって、
前記管理機は、
前記第１出力手段から出力される前記鍵判定結果もしくは前記鍵監視履歴データ、又は、前記第２出力手段から出力される前記開閉監視履歴データを受信する監視履歴データ受信手段を備えたことを特徴とする装置管理システム。
【請求項１１】
前記管理機は、前記監視履歴データ受信手段が受信した前記鍵判定結果もしくは前記鍵監視履歴データ又は前記開閉監視履歴データを記憶する監視履歴データ記憶手段を備えたことを特徴とする請求項１０に記載の装置管理システム。
【請求項１２】
前記管理機は、前記監視履歴データ受信手段が受信した前記鍵判定結果もしくは前記鍵監視履歴データ又は前記開閉監視履歴データを出力する監視履歴データ出力手段を備えたことを特徴とする請求項１０又は１１に記載の装置管理システム。
【発明の詳細な説明】
【０００１】
【発明の属する技術分野】
本発明は、遊技機、例えばパチンコ機などの装置の状態を監視してその監視結果に基づき装置の施錠・開錠を行う施錠システム、遊技機及び装置管理システムに関するものである。
【０００２】
【従来の技術】
従来、遊技機のうちパチンコ機においては、不当に遊技球を獲得する不正行為が後を絶たず、種々の防止策が施されている。例えば、パチンコ機に異常が発生した場合、遊技者は呼出ボタンを押す等して遊技場の係員に知らせる。呼び出しを受けた係員は、鍵を用いてパチンコ機を開錠し、異常に対して処置を施す。パチンコ機は島に固定されている木枠と、遊技盤を保持している本体枠と、遊技盤表面を保護するガラス板を保持しているガラス枠からなり、本体枠は木枠に対して開閉し、ガラス枠は本体枠に対して開閉する。このような周知のパチンコ機では、１つの鍵で本体枠の開閉とガラス枠の開閉を行うようになっている。遊技者のうちゴト師と呼ばれる者は、前記鍵を不正に入手して、係員が見ていない時にこれを用いてガラス枠を開け、遊技盤の盤面上の各種入賞口に遊技球を入れることにより大量の遊技球を獲得したり、本体枠を開放し、不正ＲＯＭへの交換を行ったりするような不正行為を行う場合がある。
【０００３】
このような鍵の不正使用による不正行為に対しては、パチンコ機に電気錠を設けたり、本体枠を開いた場合に不正ＲＯＭへの交換ができないようにワイヤで固定する等して対処している。また、遊技場内の監視モニタにより目視により監視を行っている。また、鍵が鍵保管箱からいつ取り出されていつ返却されたかを管理することも行われている。
【０００４】
【発明が解決しようとする課題】
しかしながら、監視モニタによる監視は、不正行為を画像をチェックすることにより人間が判断するものであり、見落とす可能性も多い。また、複数のパチンコ機の枠が開放された状態では、見落とす可能性が更に強くなる。記録したモニタ画像をチェックする場合も、長時間がかかる。また、鍵の管理をした場合にも、誰がいつどのパチンコ機に対して鍵を使用したのかは不明であり、不正行為の追跡や防止は困難であった。
【０００５】
本発明は、上記課題を解決するためになされたものであり、開閉等の装置の状態をリアルタイムに監視し、その監視結果に基づいて施錠・開錠を行う施錠システム、遊技機及び装置管理システムを提供することを目的としている。
【０００６】
【課題を解決するための手段】
上記目的を達成するために、請求項１に記載の施錠システムは、施錠用ＩＣタグと、その施錠用ＩＣタグと通信を行うＩＣタグ監視装置と、そのＩＣタグ監視装置の監視結果に基づき装置の施錠及び開錠を行う施錠装置とからなる施錠システムであって、前記施錠用ＩＣタグは、他のＩＣタグと区別するための識別データを記憶し、ＩＣタグ監視装置から送信される呼出波に応答して反射波を放出するＲＦ回路を備え、前記ＩＣタグ監視装置は、前記施錠用ＩＣタグを呼び出す前記呼出波を送信する第１送信手段と、前記施錠用ＩＣタグから返送される前記反射波を受信する第１受信手段と、前記第１送信手段及び前記第１受信手段に接続された鍵用アンテナと、前記第１送信手段が前記呼出波を送信してから所定時間内に前記第１受信手段が予め登録されている登録データと同一の識別データを含む前記反射波を受信した場合に正常と判定する鍵判定手段と、その鍵判定手段による鍵判定結果を外部に出力する第１出力手段とを備え、前記施錠装置は、前記施錠用ＩＣタグを備えた鍵と、前記鍵用アンテナを備え、前記鍵が挿入される錠とを備えたことを特徴とする。
【０００７】
この構成の施錠システムでは、鍵に内蔵した施錠用ＩＣタグに対し、ＩＣタグ監視装置に備えられた第１送信手段が鍵が挿入される錠に設けた鍵用アンテナを介して呼出波を送信してＩＣタグを呼び出す。すると、施錠用ＩＣタグは記憶しているＩＤコード等の識別データを含む反射波を返し、これをＩＣタグ監視装置に備えられた第１受信手段が鍵用アンテナを介して受信する。そして、第１送信手段が呼出波を送信してから所定時間内に予め登録されている登録データと同一の識別データを含む反射波を受信した場合には、正規の鍵が挿入されたとして鍵判定手段が正常と判定する。さらに、第１出力手段がその判定結果を外部に出力する。
【０００８】
ＩＣタグは、ＲＦＩＤ（Ｒａｄｉｏ　Ｆｒｅｑｕｅｎｃｙ−ＩＤｅｎｔｉｆｉｃａｔｉｏｎ）とも呼ばれ、内蔵のＩＣチップは非接触型のＩＣカードと同様のものであり、非接触通信により交信を行う。ＩＣチップ内のメモリ領域には、識別データとして、ＩＣタグ固有のＩＤコードに加えて、設置されている装置のＩＤ（メーカーＩＤ）、遊技場の管理コード（ホールＩＤ）等を追記して記憶させておくことが可能である。これらのＩＤは、それぞれが６４ｂｉｔ程度のユニークな（一意に識別できる）情報で構成されており、ＩＤを２重３重に構成することで、複製して不正に利用することは非常に困難になる。呼出波に応えて送信される反射波にはこのような識別データが含まれるため、光や電気等に比べて改竄やいわゆる「なりすまし」が難しい。従って、正規の鍵にはＩＣタグを内蔵しておくと、複製鍵を用いた場合には通信不能であるから、不正な開放を検知したり履歴に残すことができる。さらに、複数の鍵のＩＤコードを登録しておき、どの鍵を用いて開錠がなされたかを履歴として残すようにすれば、いつ、どの鍵が使用されて不正行為が行われたかを発見することもできる。また、例えば鍵を携帯する係員の勤務時間に合わせて鍵の使用できる時間帯を設定するような場合、履歴をチェックすることにより不正使用かどうかを判別できる。このような場合は、鍵判定手段により正常と判定された場合に、さらに予め登録されている時間帯における使用であるかを判定する鍵使用時刻判定手段を備えるようにしてもよい。
【０００９】
請求項２に記載の施錠システムは、請求項１に記載の発明の構成に加え、前記施錠装置は、前記第１出力手段から出力される前記鍵判定結果を受信する第２受信手段と、前記第２受信手段が受信した前記鍵判定結果が正常である場合に開錠する開錠手段とを備えたことを特徴とする。
【００１０】
この構成の施錠システムでは、請求項１に記載の発明の作用に加え、第２受信手段が鍵判定結果を受信して、正常な場合には開錠手段が開錠を行う。従って、複製鍵を用いた場合には開錠することができず、開錠後の不正行為を防止することができる。さらに、鍵判定結果が正常であることに加えて、予め登録されている時間帯における使用であるかを判定する鍵使用時刻判定手段を備え、この鍵使用時刻判定手段により正規の時間帯における使用であると判定された場合にのみ開錠するように構成してもよい。
【００１１】
請求項３に記載の施錠システムは、請求項１又は２に記載の発明の構成に加え、前記第１出力手段は、前記鍵判定結果、又は、前記第１受信手段が前記反射波を受信できない通信不能状態から前記反射波を受信できる通信可能状態になった時点の時刻である鍵挿入時刻及び受信された反射波に含まれる識別データ、前記通信可能状態から前記通信不能状態になった時点の時刻である鍵引抜時刻、もしくは、予め登録されている登録データと異なる識別データが受信された時点の時刻である鍵ＩＤ異常時刻及び受信された反射波に含まれる識別データのうち少なくとも１つを含む鍵監視履歴データを出力することを特徴とする。
【００１２】
この構成の施錠システムでは、請求項１又は２に記載の発明の作用に加え、第１出力手段が、鍵判定結果、又は、鍵監視履歴データを出力する。鍵監視履歴データには、第１受信手段が前記反射波を受信できない通信不能状態から反射波を受信できる通信可能状態になった時点の時刻（鍵挿入時刻）及びその時点の識別データ、通信可能状態から通信不能状態になった時点の時刻（鍵引抜時刻）、予め登録されている登録データと異なる識別データが受信された時点の時刻（鍵ＩＤ異常時刻）その時点の識別データのいずれかが含まれる。従って、鍵監視履歴を外部から参照し、異常と判定された場合に光や音等で報知する等して注意を喚起することができる。
【００１３】
請求項４に記載の施錠システムは、請求項１乃至３のいずれかに記載の発明の構成に加え、他のＩＣタグと区別するための識別データを記憶し、装置を開閉する開閉部材又はその開閉部材の近傍の装置本体に設けられた開閉監視用ＩＣタグを備え、前記ＩＣタグ監視装置は、前記開閉監視用ＩＣタグを呼び出す呼出波を送信する第２送信手段と、前記開閉監視用ＩＣタグから返送される反射波を受信する第３受信手段と、前記第２送信手段及び前記第３受信手段に接続された監視用アンテナと、前記第２送信手段が呼出波を送信してから所定時間内に前記第３受信手段が予め登録されている登録データと同一の識別データを含む反射波を受信した場合に正常と判定する開閉判定手段と、その開閉判定手段による開閉判定結果を含む開閉監視履歴データを外部に出力する第２出力手段とを備えたことを特徴とする。
【００１４】
この構成の施錠システムでは、請求項１乃至３のいずれかに記載の発明の作用に加え、ＩＣチップを内蔵した開閉監視用ＩＣタグに対し、ＩＣタグ監視装置に備えた第２送信手段が監視用アンテナを介して呼出波を送信して呼び出す。すると、開閉監視用ＩＣタグは記憶しているＩＤコード等の識別データを含む反射波を返し、これをＩＣタグ監視装置に備えられた第３受信手段が監視用アンテナを介して受信する。そして、第２送信手段が呼出波を送信してから所定時間内に予め登録されている登録データと同一の識別データを含む反射波を第３受信手段が受信した場合には、開閉判定手段が正常と判定する。さらに、第２出力手段がその判定結果を外部に出力する。従って、常には開閉監視用ＩＣタグをアンテナから通信可能な位置に設置しておくと、開閉監視用ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【００１５】
請求項５に記載の施錠システムは、請求項４に記載の発明の構成に加え、前記ＩＣタグ監視装置は、前記鍵判定結果及び前記開閉判定結果の双方が異常であった場合に報知を行う報知手段を備えたことを特徴とする。
【００１６】
この構成の施錠システムでは、請求項４に記載の発明の作用に加え、報知手段が鍵判定結果及び開閉判定結果の双方が異常であった場合に報知を行う。従って、複製鍵等正規の鍵を用いずに装置を開放した場合、鍵を用いずに装置をこじ開けたような場合には、光や音等種々の方法で報知され、係員等の注意を喚起することができる。
【００１７】
請求項６に記載の施錠システムは、請求項４又は５に記載の発明の構成に加え、前記監視用アンテナは、前記開閉監視用ＩＣタグが前記開閉部材に設けられている場合はその近傍の装置本体に、前記開閉監視用ＩＣタグが前記装置本体に設けられている場合はその近傍の前記開閉部材に設けられ、前記監視用アンテナと前記開閉監視用ＩＣタグとは前記開閉部材が閉鎖状態のときには通信可能であり前記開閉部材が開放状態のときには通信不能となることを特徴とする。
【００１８】
この構成の施錠システムでは、請求項４又は５に記載の発明の作用に加え、開閉監視用ＩＣタグと監視用アンテナとが開閉部材とその近傍の装置本体とに別個に設けられ、開閉部材が閉鎖状態のときには通信可能であり開閉部材が開けられると通信不能となる。これを外部に出力したり、記憶して履歴を取ったりすることにより、装置内部にある基板の交換等を目的とした不正な開放を検知することができる。すぐに報知するように構成すれば、不正行為の早期発見に役立つ。
【００１９】
請求項７に記載の施錠システムは、請求項４乃至６のいずれかに記載の発明の構成に加え、前記開閉監視履歴データは、前記第３受信手段が前記反射波を受信できる通信可能状態から前記反射波を受信できない通信不能状態となった時点の時刻である消失時刻、前記通信不能状態から前記通信可能状態になった時点の時刻である復帰時刻、又は、予め登録されている登録データと異なる識別データが受信された時点の時刻であるＩＤ異常時刻のうち少なくとも１つを含むことを特徴とする。
【００２０】
この構成の施錠システムでは、請求項４乃至６のいずれかに記載の発明の作用に加え、第２出力手段が出力する開閉監視履歴データには、第３受信手段が前記反射波を受信できる通信可能状態から前記反射波を受信できない通信不能状態となった時点の時刻（消失時刻）、再び受信できるようになった時点の時刻（復帰時刻）、ＩＣタグのすり替え等により予め登録されている登録データと異なる識別データが受信された時点の時刻（ＩＤ異常時刻）のいずれかが含まれる。出力された開閉監視履歴データは外部装置において報知を行ったり、外部装置側で記憶して開閉監視用ＩＣタグの監視履歴を後から参照することができる。また、不正が行われた正確な時刻を知ることができるため、監視システムの設置された装置のある遊技場等に監視カメラが設置されている場合には、監視カメラの撮影時刻と照合すれば、不正行為をなした人物を特定することも可能である。
【００２１】
請求項８に記載の施錠システムは、施錠用ＩＣタグと、開閉監視用ＩＣタグと、前記施錠用ＩＣタグ及び前記開閉監視用ＩＣタグと通信を行うＩＣタグ監視装置と、そのＩＣタグ監視装置の監視結果に基づき装置の施錠及び開錠を行う施錠装置とからなる施錠システムであって、前記施錠用ＩＣタグは、他のＩＣタグと区別するための識別データを記憶し、ＩＣタグ監視装置から送信される呼出波に応答して反射波を放出する第１ＲＦ回路を備え、前記開閉監視用ＩＣタグは、他のＩＣタグと区別するための識別データを記憶し、ＩＣタグ監視装置から送信される呼出波に応答して反射波を放出する第２ＲＦ回路を備え、装置の開閉する開閉部材又はその開閉部材の近傍の装置本体に設けられ、前記ＩＣタグ監視装置は、前記施錠用ＩＣタグ又は前記開閉監視用ＩＣタグを呼び出す前記呼出波を送信する送信手段と、前記開閉監視用ＩＣタグ又は前記開閉監視用ＩＣタグから返送される前記反射波を受信する受信手段と、前記送信手段及び前記受信手段に接続されたアンテナと、前記送信手段が開閉監視用ＩＣタグに前記呼出波を送信してから所定時間内に前記受信手段が予め登録されている登録データと同一の識別データを含む前記反射波を受信せず、かつ、前記送信手段が前記施錠用ＩＣタグに前記呼出波を送信してから所定時間内に前記受信手段が予め登録されている登録データと同一の識別データを含む前記反射波を受信しなかった場合に異常と判定する判定手段と、前記判定手段による判定結果を外部に出力する出力手段とを備え、前記施錠装置は、前記施錠用ＩＣタグを備えた鍵と、前記アンテナを備え、前記鍵が挿入される錠とを備えたことを特徴とする。
【００２２】
この構成の施錠システムでは、鍵に内蔵された施錠用ＩＣタグと、装置の開閉する開閉部材又はその開閉部材の近傍の装置本体に設けられた開閉監視用ＩＣタグに対し、ＩＣタグ監視装置の送信手段が呼出波を送信してこれらのＩＣタグを呼び出す。すると施錠用ＩＣタグや開閉監視用ＩＣタグは、記憶しているＩＤコード等の識別データを含む反射波を返し、受信手段がこれを受信する。そして、送信手段が呼出波を送信してから所定時間内に予め登録されている登録データと同一の識別データを含む反射波を受信手段がどちらのＩＣタグからも受信しなかった場合に、判定手段が異常と判定する。さらに、出力手段がその判定結果を外部に出力する。従って、正規の鍵にＩＣタグを内蔵しておくと、正規の鍵を使用して装置を開放した場合には正常とされるが、複製鍵を用いた場合や鍵を用いずにこじ開けた場合には異常となるから、不正な開放を検知したり履歴に残すことができる。さらに、複数の鍵のＩＤコードを登録しておき、どの鍵を用いて開錠がなされたかを履歴として残すようにすれば、いつ、どの鍵が使用されて不正行為が行われたかを発見することもできる。また、例えば鍵を携帯する係員の勤務時間に合わせて鍵の使用できる時間帯を設定するような場合、履歴をチェックすることにより不正使用かどうかを判別できる。このような場合は、鍵判定手段により正常と判定された場合に、さらに予め登録されている時間帯における使用であるかを判定する鍵使用時刻判定手段を備えるようにしてもよい。
【００２３】
請求項９に記載の遊技機は、請求項１乃至８のいずれかに記載の施錠システムを備えている。この構成の遊技機では、請求項１乃至８のいずれかに記載の発明の作用を奏することができる。
【００２４】
請求項１０に記載の装置管理システムは、請求項１乃至７のいずれかに記載の施錠システムを備えた装置とその装置を管理する管理機とがネットワークを介して接続された装置管理システムであって、前記管理機は、前記第１出力手段から出力される前記鍵判定結果もしくは前記鍵監視履歴データ、又は、前記第２出力手段から出力される前記開閉監視履歴データを受信する監視履歴データ受信手段を備えたことを特徴とする。
【００２５】
この構成の装置管理システムでは、請求項１乃至７のいずれかに記載の発明の作用に加え、管理機の監視履歴データ受信手段が、ＩＣタグ監視装置の第１出力手段から出力された鍵判定結果や鍵監視履歴データ、第２出力手段から出力された開閉監視履歴データを受信する。従って、個々の装置の監視履歴データを管理機側で把握して早期に対応することが可能になる。
【００２６】
請求項１１に記載の装置管理システムは、請求項１０に記載の発明の構成に加え、前記管理機は、前記監視履歴データ受信手段が受信した前記鍵判定結果もしくは前記鍵監視履歴データ又は前記開閉監視履歴データを記憶する監視履歴データ記憶手段を備えたことを特徴とする。
【００２７】
この構成の装置管理システムでは、請求項１０に記載の発明の作用に加え、受信した鍵判定結果、鍵監視履歴データ、開閉監視履歴データを管理機の監視履歴データ記憶手段が記憶する。従って、個々の装置の監視履歴データを管理機側で一括して記憶し、ＩＣ監視装置の記憶内容をクリアしたり、複数の装置の監視履歴を比較したりする等、柔軟な対応が可能になる。
【００２８】
請求項１２に記載の装置管理システムは、請求項９又は１０に記載の発明の構成に加え、前記管理機は、前記監視履歴データ受信手段が受信した前記鍵判定結果もしくは前記鍵監視履歴データ又は前記開閉監視履歴データを出力する監視履歴データ出力手段を備えたことを特徴とする。
【００２９】
この構成の装置管理システムでは、請求項１０又は１１に記載の発明の作用に加え、受信した鍵判定結果、鍵監視履歴データ、開閉監視履歴データを管理機の監視履歴データ出力手段が出力する。従って、複数の装置の監視履歴をまとめて一ヶ所で表示したり、警告ランプや音等で報知したりして不正行為等に効率的に対応できる。
【００３０】
【発明の実施の形態】
以下、本発明の一実施の形態について図面を参照して以下の順で説明する。
１．システム構成の概要説明
２．装置の構成の説明
３．発明部分の構成説明
４．装置内部のハード部分の構成説明
５．発明部分のハード部分の構成説明
６．発明部分の動作説明
７．実施の形態の効果
８．変形例の説明
【００３１】
１．システム構成の概要説明
図１は、本実施の形態である遊技場における遊技機の管理システム２００の構成図である。管理システム２００は、遊技場内にある複数台のパチンコ機１を背中合わせに２列に並べて設置した遊技機設置島の各々に管理機１００を設置し、その遊技機設置島にあるパチンコ機（遊技機）１が付属のリーダライタユニット（以下、「Ｒ／Ｗユニット」と称する。）５６を介して管理機１００に接続される構成となっている。そして、パチンコ機１には、ガラス枠１１１と本体枠１１０、本体枠１１０と木枠１１２（図６参照）の開閉を監視するために、それぞれＩＤコード（識別データ）を記憶した開閉監視用ＩＣタグを設置し、開閉監視用ＩＣタグに呼出波を送信して反射波を受信し、反射波に含まれたＩＤコードを読み取ることにより、設置箇所の開放を検知して、検知した結果を管理機１００に送信して管理機１００にて報知を行い、遊技場内で対応ができるように構成されている。また、ガラス枠１１１や本体枠１１０を開閉するための鍵１２１（図１０参照）には鍵用ＩＣタグが内蔵され、この鍵用ＩＣタグのＩＤコードを読み取って真正ＩＤコードであった場合のみ開錠がなされるように構成され、さらに、鍵の挿入・引抜の履歴が管理機１００に送信されるようになっている。また、管理システム２００は、各Ｒ／Ｗユニット５６と管理機１００とをＬＡＮケーブル等の通信ケーブル１５０で接続している。各パチンコ機１には、ＩＣタグを呼び出して識別データを読み取るための独立したＲ／Ｗユニット５６（ＩＣタグ監視装置）が付属している。管理機１００は、さらに遊技場全体を管理する遊技場管理用ホールコンピュータ３００に接続されており、この遊技場管理用ホールコンピュータ３００が各管理機１００を一括管理している。
【００３２】
２．装置の構成の説明
図２はパチンコ機１の正面図であり、図３はパチンコ機１の遊技盤２の正面図である。図２及び図３に示すように、パチンコ機１の正面の上半分の部分には、略正方形の遊技盤２が設けられ、遊技盤２には、ガイドレール３で囲まれた略円形の遊技領域４が設けられている。遊技盤２は、前面中央に遊技領域４を有し、透明なガラス板を保持したガラス枠１３で覆われている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。また、発射ハンドル７の上方には、ガラス枠１１１や本体枠１１０（図６参照）を開くための鍵を挿入する鍵穴１２０が設けられている。
【００３３】
また、遊技領域４の略中央には、液晶画面を備えた特別図柄表示装置８が設けられている。この特別図柄表示装置８には、第１図柄停止部Ｌ１、第２図柄停止部Ｌ２、第３図柄停止部Ｌ３及び普通図柄表示部８ａが設けられており、普通図柄表示部８ａには、一桁の数字や一文字のアルファベットあるいは記号やマーク等の図柄を表示できるようになっている。また、特別図柄表示装置８の右上方には電飾風車９が設けられ、左上方にも電飾風車１０が設けられている。さらに、特別図柄表示装置８の右側には普通図柄始動ゲート１１が設けられ、左側にも普通図柄始動ゲート１２が設けられている。また、特別図柄表示装置８の下側には、特別図柄始動電動役物１５が設けられており、その特別図柄始動電動役物１５の下方には、大入賞口１６が設けられている。尚、遊技盤２には、上記以外に、種々の電飾ランプ、風車及び多数の障害釘等が設けられている。
【００３４】
次に、図４を参照して、パチンコ機１の背面の構造について説明する。図４はパチンコ機１の背面図である。図４に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側にＩＣタグを呼び出してＩＤコードを読み取るためのＲ／Ｗユニット５６が設置されている。
【００３５】
３．発明部分の構成説明
次に、図５を用いてＩＣタグ監視装置であるＲ／Ｗユニット５６について説明する。図５は、Ｒ／Ｗユニット５６の分解斜視図である。図５に示すように、Ｒ／Ｗユニット５６は、基板ボックス８０の上方、センターカバー９０の外側にビスにより取り付けられており（図４参照）、パチンコ機１とは独立してなるユニットとして構成され、島設備から電源供給を受けている。図５に示すように、Ｒ／Ｗユニット５６には、ＣＰＵ５６ａ、ＲＡＭ５６ｂ、ＲＯＭ５６ｃ、ＥＥＰＲＯＭ５６ｄ、ＲＦ回路５６ｇ、ＬＡＮカード５６ｈ、入力ポート５６ｉが備えられ、ＲＦ回路５６ｇから同軸ケーブル５６ｋにより監視用アンテナ６８，１６８（後述）に接続し、ＬＡＮカード５６ｈからＬＡＮケーブルにより管理機１００に接続している。また、入力ポート５６ｉを経由して、パチンコ機１の主制御基板４１からの信号を受信する。Ｒ／Ｗユニット５６は、監視用アンテナ６８，１６８を介して開閉監視用ＩＣタグ８６，１８６と無線通信を行い、鍵用アンテナ１２８を介して、鍵１２１に内蔵された鍵用ＩＣタグ１２６（図１０参照）と無線通信を行う。。さらに、Ｒ／Ｗユニット５６には、開閉監視用ＩＣタグ８６，１８６、鍵用ＩＣタグ１２６との通信に異常があった場合に点灯される７セグメント表示器６９が設けられている。７セグメント表示器６９は、開閉監視用ＩＣタグが識別不能状態になったり、ＩＤエラーになったりして、設置箇所に開閉等の異常が判定された場合、挿入された鍵１２１がＩＤエラーになった場合に、異常箇所を特定し（例えばＡ，Ｂ等の記号による）、異常（開閉）回数の累計を表示する。
【００３６】
次に、図６及び図７を参照して、パチンコ機１の開閉の構造について説明する。図６及び図７は、パチンコ機１のガラス枠１１１及び本体枠１１０を開いた状態の斜視図である。図６に示すように、パチンコ機１は、遊技機設置島に固定される木枠１１２と、遊技機本体である本体枠１１０と、遊技盤２を保護するガラス枠１１１とから構成されている。木枠１１２と本体枠１１０の開閉、本体枠１１０とガラス枠１１１の開閉は、鍵穴１２０に鍵１２１を挿入回転して行う。
【００３７】
図６及び図７に示すように、ガラス枠１１１の正面視右上部の裏面側には、小型で長方形の開閉監視用ＩＣタグ８６が接着剤等で接着され、対向する本体枠１１０の正面視右上部には、小型で長方形の監視用アンテナ６８が接着剤等で接着されている。また、木枠１１２の正面視右側の枠の内側ほぼ中央には、小型で長方形の開閉監視用ＩＣタグ１８６が接着剤等で接着され、対向する本体枠１１０の正面視右側面には、小型で長方形の監視用アンテナ１６８が接着剤等で接着されている。さらに、鍵穴１２０の上方には、小型で長方形の鍵用アンテナ１６８が埋め込まれて設置されている。
【００３８】
ここで、開閉監視用ＩＣタグ８６及び１８６の構造について説明する。図８は、開閉監視用ＩＣタグ８６，１８６の平面図である。開閉監視用ＩＣタグ８６，１８６は、図８に示すように、薄いフレキシブルプリント基板上にＲＦ回路８６ａとＥＥＰＲＯＭ８６ｃ（図１４参照）とが一体となったＩＣチップ８６ｄ及びアンテナ回路８６ｂが設けられてなっている。
【００３９】
また、監視用アンテナ６８及び１６８は、開閉監視用ＩＣタグ８６及び１８６と、鍵用アンテナ１２８は鍵用ＩＣタグ１２６（図１０参照）と電磁波によるＲＦ（Ｒａｄｉｏ　Ｆｒｅｑｕｅｎｃｙ：高周波無線）送受信を行うものであり、同軸ケーブル５６ｋによりＲ／Ｗユニット５６に接続されている。本実施形態において、開閉監視用ＩＣタグ８６，１８６と監視用アンテナ６８，１６８、及び鍵用ＩＣタグ１２６と鍵用アンテナ１２８は、１３．５６ＭＨｚの短波帯で通信を行っている。監視用アンテナ６８と開閉監視用ＩＣタグ８６及び監視用アンテナ１６８と開閉監視用ＩＣタグ１８６との距離は、ガラス枠１１１と本体枠１１０、本体枠１１０と木枠１１２を閉鎖し施錠された状態で約３ｍｍになるように配置されている。この距離間ではＲＦ送受信が可能であり監視用アンテナ６８，１６８を介したＲ／Ｗユニット５６からの呼び出しに開閉監視用ＩＣタグ８６，１８６が応答することができ、監視用アンテナ６８，１６８と開閉監視用ＩＣタグ８６，１８６との距離が約５ｍｍを超えると通信不能となるように設定されている。この通信可能距離は、監視用アンテナ６８のコイルの巻き数やリアクタンス値により調節が可能である。このように通信可能距離を設定することにより、ガラス枠１１１や本体枠１１０のわずかな隙間の開放であっても検知することができ、また、振動等によるわずかな揺れでは通信不能とならないように調整されている。また、鍵用ＩＣタグ１２６と鍵用アンテナ１２８とは、鍵１２１が鍵穴１２０に挿入されると通信可能となり、鍵１２１が鍵穴１２０から引抜かれると通信不能となるように構成されている。
【００４０】
監視用アンテナ６８，１６８と開閉監視用ＩＣタグ８６，１８６、鍵用アンテナ１２８と鍵用ＩＣタグ１２６間の通信は電磁波を使用するので、他の電磁波を使用する部材からのノイズの影響による誤動作を防ぐために、開閉監視用ＩＣタグ８６，１８６や監視用アンテナ６８，１６８、鍵用アンテナ１２８は、ソレノイドを使用している賞品払出装置４９や発射モータ６７（後述）から離した位置に配置している。
【００４１】
次に、ガラス枠１１１と本体枠１１０、本体枠１１０と木枠１１２の施錠及び開錠の構造について図６及び図９を用いて説明する。図９は、本体枠１１０下部の部分斜視図であり、図６に示すように、ガラス枠１１１と本体枠１１０とは、係止部材１３１の突起部１３１ａがガラス枠１１１の係合部１３１ｂに係合し、係止部材１３２の突起部１３２ａがガラス枠１１１の係合部１３２ｂに係合して施錠される。係止部材１３１，１３２は、バネにより常に上方に付勢されている。また、図９に示すように、施錠された状態において、係止部材１３１の突起部１３１ａと反対側の端部１３１ｃは、監視用アンテナ１６８の上方に設けられたプランジャ１３５ａと下端が当接している。施錠用ソレノイド１３５（図１２参照）の可動鉄心であるプランジャ１３５ａは、施錠用ソレノイド１３５に電流が流れてＯＮされることにより内部に引きつけられ、突起部１３１ａと当接しなくなる。
【００４２】
また、図６に示すように、本体枠１１０と木枠１１２とは、係止部材１３３の突起部１３３ａが木枠１１２の係合部１３３ｂに係合し、係止部材１３４の突起部１３４ａが木枠１１２の係合部１３４ｂに係合して施錠される。係止部材１３３，１３４は、バネにより常に上方に付勢されている。また、図９に示すように、施錠された状態において、係止部材１３３の突起部１３３ａは、監視用アンテナ１６８の下方に設けられたプランジャ１３６ａと下端が当接している。施錠用ソレノイド１３６（図１０参照）の可動鉄心であるプランジャ１３６ａは、施錠用ソレノイド１３６に電流が流れてＯＮされることにより内部に引きつけられ、突起部１３３ａと当接しなくなる。
【００４３】
ガラス枠１１１及び本体枠１１０を開くためには、鍵１２１を用いて開錠する。ここで、鍵１２１の構造について図１０を用いて説明する。図１０は、鍵１２１の平面図である。図１０に示すように、鍵１２１は、把持部１２１ａのカバー内部に鍵用ＩＣタグ１２６が埋め込まれている。鍵用ＩＣタグ１２６は、細い円筒型（スティック型）に形成されており、開閉監視用ＩＣタグ８６と同様に、ＲＦ回路とＥＥＰＲＯＭとが一体となったＩＣチップ及びアンテナ回路とからなっている。
【００４４】
ガラス枠１１１を開錠する場合には、鍵１２１を鍵穴１２０に挿入し、左方向に回転させる。すると、係止部材１３１，１３２が下方に下がり、突起部１３１ａと係合部１３１ｂ、突起部１３２ａと係合部１３２ｂの係合がはずれてガラス枠１１１を手前に開くことができるようになる。但し、係止部材１３１には、プランジャ１３５ａが下から当接しているため、鍵１２１を回転しても、プランジャ１３５ａに阻止されて係止部材１３１は下方に移動することができない。Ｒ／Ｗユニット５６が鍵用アンテナ１２６を通じて常時鍵１２１の鍵用ＩＣタグ１２６を呼び出しているので、鍵１２１を挿入した時には、鍵用ＩＣタグ１２６のＩＤコードが読み取られる。これが予め登録されているＩＤコードと一致すると、Ｒ／Ｗユニット５６は、施錠用ソレノイド１３５に電流を流し、プランジャ１３５ａを引いて係止部材１３１が下方に移動できるようにする。これにより、開錠され、ガラス枠１１１が手前に開くようになる。施錠する場合には、鍵１２１は不要であり、ガラス枠１１１を本体枠１１０へ押し込むことにより突起部１３１ａ，１３２ａが係合部１３１ｂ，１３２ｂにより押下げられ、更に押し込むことにより突起部１３１ａ，１３２ａが係合部１３１ｂ，１３２ｂを外れてバネの力により係止部材１３１，１３２が上方に上がって係合され、施錠される。Ｒ／Ｗユニット５６は、ガラス枠１１１が本体枠１１０へ押し込まれたことを監視用ＩＣタグ８６との通信が復帰することで了知し、施錠用ソレノイド１３５へ流れる電流を遮断し、プランジャ１３５ａを突き出して係止部材１３１が下方に移動できないようにする。
【００４５】
本体枠１１０を開錠する場合には、鍵１２１を鍵穴１２０に挿入し、右方向に回転させる。すると、係止部材１３３，１３４が下方に下がり、突起部１３３ａと係合部１３３ｂ、突起部１３４ａと係合部１３４ｂの係合がはずれて本体枠１１０を手前に開くことができるようになる。但し、ガラス枠１１１の場合と同様、図９に示すように、係止部材１３３には、プランジャ１３６ａが下から当接しているため、鍵１２１を回転しても、プランジャ１３６ａに阻止されて係止部材１３３は下方に移動することができない。Ｒ／Ｗユニット５６が鍵用アンテナ１２６を通じて常時鍵１２１の鍵用ＩＣタグ１２６を呼び出しているので、鍵１２１を挿入した時には、鍵用ＩＣタグ１２６のＩＤコードが読み取られる。これが予め登録されているＩＤコードと一致すると、Ｒ／Ｗユニット５６は施錠用ソレノイド１３６に電流を流し、プランジャ１３６ａを引いて係止部材１３３が下方に移動できるようにする。これにより、開錠され、本体枠１１０が手前に開くようになる。施錠する場合には、鍵１２１は不要であり、本体枠１１０を木枠１１２へ押し込むことにより突起部１３３ａ，１３４ａが係合部１３３ｂ，１３４ｂにより押下げられ、更に押し込むことにより突起部１３３ａ，１３４ａが係合部１３３ｂ，１３４ｂを外れてバネの力により係止部材１３３，１３４が上方に上がって係合され、施錠される。Ｒ／Ｗユニット５６は、本体枠１１０が木枠１１２へ押し込まれたことを監視用ＩＣタグ１８６との通信が復帰することで了知し、施錠用ソレノイド１３６へ流れる電流を遮断し、プランジャ１３６ａを突き出して係止部材１３３が下方に移動できないようにする。
【００４６】
次に、管理機１００の構成について図１１を参照して説明する。図１１は、管理機１００の正面図である。図１１に示すように、管理機１００は、上部に警告ランプ１０８を、正面に表示器１０７及び表示器１０７の表示を消去するためのクリアボタン１１０を備えている。警告ランプ１０８の上段は本体枠１１０の開放を報知する赤いランプ１０８ａであり、下段はガラス枠１１１の不正開放を報知する青いランプ１０８ｂである。管理機１００に接続されているパチンコ機１のいずれかで本体枠１１０もしくはガラス枠１１１が正規の鍵１２１を使用せずに開かれる不正開放が検知され、管理機１００に報知された場合には、警告ランプ１０８ａ，１０８ｂが点灯し、遊技場の係員の注意を喚起するようになっている。また、表示器１０７には、どのパチンコ機１でどこの開放が検知されたのかを表示するようになっている。図１１では、１０４番台の本体枠１１０が不正開放された旨が表示器１０７に表示され、赤いランプ１０８ａが点灯している。警告ランプ１０８は、約５秒程度で消灯するようになっており、表示器１０７の表示は、係員が暗証番号等で管理者権限を入力し、クリアボタン１１０を押下することにより消去することができる。
【００４７】
４．装置内部のハード部分の構成説明
次に、パチンコ機１の電気的構成について図１２を参照して説明する。図１２は、パチンコ機１の電気的回路構成を示すブロック図である。パチンコ機１の制御部４０はパチンコ機１の裏側に設けられ、この制御部４０は、主制御基板４１、電源基板４２、音基板４３、図柄表示基板４４、払出制御基板４５、電飾基板４６、中継基板４７及び発射基板６６から構成され、主制御基板４１には、プログラムに従って各種の処理を行うＬＳＩ５０が設けられている。このＬＳＩ５０には、各種の演算処理を行うＣＰＵ５１、フラグやカウンタ値やデータやプログラム等を記憶するＲＡＭ５２と、制御プログラム及び各種の初期値のデータや特別図柄表示装置８への表示内容のデータ等を記憶したＲＯＭ５３とが設けられており、これらは一つのＬＳＩとして一体にモールディングされている。
【００４８】
また、主制御基板４１には、音基板４３、図柄表示基板４４、払出制御基板４５、電飾基板４６、中継基板４７等とデータ信号の送受信を行うＩ／Ｏインターフェース５４が設けられている。また、このＩ／Ｏインターフェース５４には、Ｒ／Ｗユニット５６も接続され、主制御基板４１とデータ信号の送受信を行う。さらに、Ｉ／Ｏインターフェース５４には、遊技場管理用ホールコンピュータ３００にパチンコ機１の各種遊技情報を出力する出力ポート５５が接続されている。
【００４９】
また、音基板４３、図柄表示基板４４、払出制御基板４５、電飾基板４６、及び発射基板６６にも、ＣＰＵ（図示外）、ＲＡＭ（図示外）、ＲＯＭ（図示外）、Ｉ／Ｏインターフェース（図示外）が各々搭載されている。主制御基板４１はパチンコ機１の主制御を司り、電源基板４２は島側から供給された交流電流（２４Ｖ）を直流電流に変換して各基板に直流電流を供給し、音基板４３はパチンコ機１の効果音の発生を制御し、図柄表示基板４４は特別図柄表示装置８の制御を行い、払出制御基板４５は賞品球払出装置４９の制御を行い、電飾基板４６はパチンコ１の各電飾の発光態様を制御し、中継基板４７は、各センサーの配線の中継を行うよう構成されている。また、発射基板６６は、遊技球を発射する発射モーター６７の制御を行っている。
【００５０】
電飾基板４６には、ＬＥＤ６２、及び電飾ランプ６３が接続されている。また、図柄表示基板４４には特別図柄表示装置８が接続され、音基板４３には、スピーカー４８が接続され、また、払出制御基板４５には、賞品球払出装置４９が接続され、さらに、中継基板４７には、大入賞口１６の開閉扉１６ａを開放する大入賞口開放ソレノイド７０、特別図柄始動電動役物開放ソレノイド７１、特別図柄始動電動役物１５に入賞した遊技球を検出する始動口スイッチ７２、普通図柄始動ゲート１１，１２を通過した遊技球を検出する普通図柄作動スイッチ７３、大入賞口１６内のＶゾーンに入賞した遊技球を検出するＶスイッチ７４、大入賞口１６に入賞した遊技球数を計数するためのカウントスイッチ７５、普通入賞口１９，２０等に入賞して図示外の案内通路により入賞球集合部に集められた入賞球を検出する入賞口スイッチ７６とが接続されている。さらに、Ｒ／Ｗユニット５６には、プランジャ１３５ａを押し引きする施錠用ソレノイド１３５、プランジャ１３６ａを押し引きする施錠用ソレノイド１３６が接続されている。
【００５１】
また、電源基板４２は、主制御基板４１、音基板４３、図柄表示基板４４、払出制御基板４５、電飾基板４６、中継基板４７に各々接続されて、直流の安定化された電力が供給されるようになっている。尚、電源基板４２には、交流２４Ｖが供給されている。電源基板４２には、図示外のシリコンダイオードブリッジからなる整流器、電解コンデンサからなる平滑回路、レギュレータＩＣからなる安定化回路等が設けられており、安定化された直流の１２Ｖ及び５Ｖ等を供給できるようになっている。尚、図１２では、特に図示しないが、主制御基板４１、電源基板４２、音基板４３、図柄表示基板４４、払出制御基板４５、電飾基板４６、中継基板４７は、全て、アースラインで接続されている。
【００５２】
５．発明部分のハード部分の構成説明
次に、Ｒ／Ｗユニット５６の電気的構成について図１３を参照して説明する。図１３は、Ｒ／Ｗユニット５６の電気的回路構成を示すブロック図である。Ｒ／Ｗユニット５６には、各種の演算処理を行うＣＰＵ５６ａ、フラグやデータ等を一時的に記憶するＲＡＭ５６ｂ、制御プログラム及び各種の初期値のデータ等を記憶したＲＯＭ５６ｃ、開閉監視用ＩＣタグ８６，１８６、鍵用ＩＣタグ１２６との通信履歴を記憶するＥＥＰＲＯＭ５６ｄ、Ｉ／Ｏインターフェース５６ｅ、タイマ５６ｆ、監視用アンテナ６８，１６８、鍵用アンテナ１２８に接続し、開閉監視用ＩＣタグ８６，１８６、鍵用ＩＣタグ１２６へ呼出波を放出し、開閉監視用ＩＣタグ８６，１８６、鍵用ＩＣタグ１２６から反射波を受信するＲＦ回路５６ｇ、管理機１００の通信回路１０６に接続するＬＡＮカード５６ｈ、パチンコ機の主制御基板４１から各種信号を受信する入力ポート５６ｉ、７セグメント表示器６９が搭載されている。
【００５３】
ＣＰＵ５６ａが、ＲＦ回路５６ｇから監視用アンテナ６８，１６８を介して開閉監視用ＩＣタグ８６，１８６に、鍵用アンテナ１２８を介して鍵用ＩＣタグ１２６に呼出波を発信し、開閉監視用ＩＣタグ８６，１８６、鍵用ＩＣタグ１２６からの反射波の返信の有無に変化があれば、ＥＥＰＲＯＭ５６ｄにＩＣタグのＩＤコードと時刻を記憶する。反射波が返ってきた場合には、すぐにまた次の呼び出しを行い、反射波が返ってこない場合には、時刻を記憶して再び次の呼び出しを行う。このようにして、Ｒ／Ｗユニット５６は、ほぼ常時開閉監視用ＩＣタグ８６，１８６及び鍵用ＩＣタグ１２６と通信を行って状態を確認している。また、Ｉ／Ｏインターフェース５６ｅは、ＬＡＮカード５６ｈを介して管理機１００の通信回路１０６（後述）に接続しており、Ｉ／Ｏインターフェース５６ｅから通信回路１０６に向けてＩＤコードや消失時刻、復帰時刻等の監視履歴データが送信される。
【００５４】
次に、開閉監視用ＩＣタグ８６の電気的構成について図１４を参照して説明する。開閉監視用ＩＣタグ１８６、鍵用タグ１２６についても同様の構成となっている。図１４は、開閉監視用ＩＣタグ８６の電気的回路構成を示すブロック図である。開閉監視用ＩＣタグ８６には、Ｒ／Ｗユニット５６からの呼出波に応答して反射波を放出するＲＦ回路８６ａ、コイルアンテナ８６ｂ、ＥＥＰＲＯＭ８６ｃが搭載されている。ＥＥＰＲＯＭ８６ｃには、開閉監視用ＩＣタグ８６を他のＩＣタグから識別するためのＩＤコード、メーカーＩＤ、ホールＩＤ等の識別データが上書消去禁止区域に記憶されている。Ｒ／Ｗユニット５６からアンテナ６８を介して呼出波が送られてくると、コイルアンテナ８６ｂがこれを受信するが、この呼出波には搬送波成分が含まれており、これを受信してＲＦ回路８６ａで整流して直流電圧を得る。従って、開閉監視用ＩＣタグ８６は、電池や外部電源を使用せずに必要な時にいつでもデータを発信することができる。データの発信は、ＥＥＰＲＯＭ８６ｃからＩＤコード等の識別データを読み出して反射波に乗せ、ＲＦ回路８６ａからアンテナ６８に向けて送信する。また、一旦Ｒ／Ｗユニット５６のＲＡＭ５６ｂに記憶された消失時刻や復帰時刻などの監視履歴データを後に受信してＥＥＰＲＯＭ８６ｃに記憶しておくこともできる。
【００５５】
次に、管理機１００の電気的構成について図１５を参照して説明する。図１５は管理機１００の電気的構成を示すブロック図である。図１５に示すように、管理機１００は、各種の演算を行うＣＰＵ１０１と、フラグやデータ等を一時的に記憶するＲＡＭ１０２と、制御プログラム及び各種の初期値のデータ等を記憶したＲＯＭ１０３と、管理者権限データベースや、履歴データベースを記憶したＥＥＰＲＯＭ１０４と、Ｒ／Ｗユニット５６とデータの送受信を行うためのＩ／０インターフェース１０５と、通信回路１０６と、受信した監視履歴データを表示するための表示器１０７と、受信した監視履歴データに基づいて点灯される警告ランプ１０８と、表示器１０７の表示を消去するためのクリアボタン１１０とから構成されている。
【００５６】
ＲＯＭ１０３に管理プログラムが格納され、これを呼び出してＣＰＵ１０１が管理処理を実行する。通信回路１０６は、Ｒ／Ｗユニット５６のＩ／Ｏインターフェース５６ｅからＬＡＮカード５６ｈを介し、ＬＡＮケーブル等の通信ケーブル１５０を経由してＩＤコード、消失時刻、復帰時刻等の監視履歴データを受信する。受信した監視履歴データに基づき、表示器１０７への表示、警告ランプ１０８の点灯が行われる。
【００５７】
６．発明部分の動作説明
次に、Ｒ／Ｗユニット５６で行われる、鍵１２１の監視処理について、図１６のフローチャートを参照して説明する。図１６は、鍵１２１の状態を監視する監視処理のフローチャートである。鍵１２１の監視処理では、鍵１２１が鍵穴１２０に挿入されたかどうか、挿入された鍵が予め登録されたＩＤコードを持つ正規の鍵であるかどうかを監視し、鍵の挿入履歴を監視履歴データとして残す。さらに、正規の鍵であることが確認されれば、プランジャ１３５ａ及び１３６ａを引いて開錠する。Ｒ／Ｗユニット５６は、遊技場の営業中・夜間を問わず常時鍵１２１の監視処理を行っている。本実施形態では、Ｒ／Ｗユニット５６は、島電源から電源供給を受けており、島電源は夜間も電源が投入されたままとなっている。
【００５８】
まず、Ｒ／Ｗユニット５６内のＣＰＵ５６ａは、ＲＦ回路５６ｇから鍵用アンテナ１２８を介して、鍵用ＩＣタグ１２６に呼出波を送信してポーリングし（Ｓ１）、鍵用ＩＣタグ１２６が反射波にＩＤコード（識別データ）を乗せて返信してくるのを待つ。鍵１２１が挿入され、その鍵にＩＣタグが内蔵されていれば、呼出波に応答して反射波が帰ってくるはずである。そこで、鍵用ＩＣタグ１２６から設定時間内に反射波が返ってきたかどうかを判断する（Ｓ３）。本実施形態では、待ち時間を５０ミリ秒に設定している。
【００５９】
鍵用ＩＣタグ１２６から設定時間内に反射波が返信されてくれば（Ｓ３：ＹＥＳ）、ＩＣタグを内蔵した鍵１２１が鍵穴１２０に挿入されたと判断できる。そこで、その鍵が登録済の真正なＩＤコードを持っているかどうかを次に判断するＳ１３）。ＩＤコードが正しい場合には（Ｓ１３：ＹＥＳ）、ＩＤエラーフラグがＯＮにされているかどうかを判断する（Ｓ２３）。ＩＤエラーフラグは、前回から継続して正しいＩＤが返信されてきたかどうかをチェックするものである。ＩＤエラーフラグがＯＮになっている場合には（Ｓ２３：ＹＥＳ）、今回正しいＩＤコードに戻ったことを示しているので、ＩＤエラーフラグをＯＦＦにする（Ｓ２５）。ＩＤエラーフラグがＯＦＦの場合には（Ｓ２３：ＮＯ）、次に、今回のポーリング時点で鍵１２１が挿入されたのか、より以前から挿入されたままなのかを確かめるために、鍵フラグがＯＦＦになっているかどうかを判断する（Ｓ２７）。鍵フラグは、鍵用ＩＣタグ１２６から応答があればＯＮに、応答がなければＯＦＦにセットされている。鍵フラグがＯＮになっていれば（Ｓ２７：ＮＯ）、前回も設定時間内に鍵用ＩＣタグ１２６からＩＤコードが返信されている。従って、今回初めて鍵１２１が挿入されたわけではなく、既に以前から鍵１２１は挿入され、開錠されたままの状態であるので、何ら記憶も行われず、管理機１００にデータの送信も行われない。そのままＳ３５に進む。
【００６０】
鍵フラグがＯＦＦになっている場合には（Ｓ２７：ＹＥＳ）、前回応答がなかったものが今回応答してきたことを示すので、鍵１２１が挿入されたと判断して、今回の応答時刻を鍵挿入時刻としてＩＤコードとともにＥＥＰＲＯＭ５６ｄに記憶する（Ｓ２９）。そして、鍵フラグをＯＮにし（Ｓ３１）、ＩＤコードと鍵挿入時刻にパチンコ機１を識別するコードを付加して管理機１００にＬＡＮケーブル等の通信ケーブル１５０を介して送信する（Ｓ３３）。これにより、管理機１００では、どのパチンコ機で鍵が挿入されたかを知ることができる。次いで、施錠用ソレノイド１３５，１３６に電流を流してＯＮにする（Ｓ３４）。施錠用ソレノイド１３５，１３６がＯＮされると、プランジャ１３５ａ，１３６ａが引っ込むので、鍵１２１を左又は右方向に回転すると、係止部材１３１，１３３が下方に移動して開錠され、ガラス枠１１１又は本体枠１１０を開くことができる。次に、鍵監視処理終了かどうかを判断し（Ｓ３５）、終了であれば（Ｓ３５：ＹＥＳ）処理を終了し、終了でなければ（Ｓ３５：ＮＯ）Ｓ１に戻って処理を継続する。
【００６１】
鍵用ＩＣタグ１２６から設定時間内に応答が返ってくれば（Ｓ３：ＹＥＳ）、ＩＣタグを内蔵した鍵１２１が鍵穴１２０に挿入されていることがわかるが、返って来たＩＤコードが正しいものでなければ（Ｓ１３：ＮＯ）、ＩＣタグ８６を付け替えた不正鍵が用いられている可能性がある。この時点で鍵１２１の状態は異常であると判定されるが、応答が得られなかった場合と同様に、この異常な状態が継続しているかどうかを次に判断する。すなわち、ＩＤエラーフラグがＯＦＦにされているかどうかを判断する（Ｓ１５）。ＩＤエラーフラグは、ＩＤコードが正しくない間はＯＮに設定される。ここでＩＤエラーフラグがＯＦＦでなくＯＮになっている場合には（Ｓ１５：ＮＯ）、前回から継続してＩＤコードが正しくない場合であるので、何らその後の処理は行わず、Ｓ３５に進む。
【００６２】
ＩＤエラーフラグがＯＦＦになっている場合には（Ｓ１５：ＹＥＳ）、今回はじめてＩＤコードが正しくなくなったことを示しているので、ポーリング時刻を不正鍵挿入時刻としてＥＥＰＲＯＭ５６ｄに記憶する（Ｓ１７）。そして、ＩＤエラーフラグをＯＮにする（Ｓ１９）。そして、ＩＤコードと不正鍵挿入時刻にパチンコ機１を識別するコードを付加してＩ／Ｏインターフェース５６ｅ，ＬＡＮカード５６ｈから管理機１００にＬＡＮケーブル等の通信ケーブル１５０を介して送信する（Ｓ２１）。
【００６３】
時間内に応答が帰って来なかった場合は（Ｓ３：ＮＯ）、故障でないとすれば、鍵用ＩＣタグ１２６が鍵用アンテナ１２８から通信範囲外まで離れたためであると考えられるから、鍵１２１は鍵穴１２０に挿入されていない状態と判断できる。次に、鍵が今引抜かれたのか、より以前から挿入されていない状態が継続しているのかを判断する。鍵１２１が挿入されていない状態が継続していれば、後述のように鍵が引抜かれた時点で鍵引抜時刻の記憶やデータの管理機への送信等が既に行われており、状態の変化がない場合に重ねて記憶したり送信を行うまでもない。これにより、記憶容量の節約になる。具体的には、ＥＥＰＲＯＭ５６ｄに記憶されている鍵フラグがＯＮにされているかどうかを判断する（Ｓ５）。鍵フラグは、ＩＣタグからの応答が返ってこない間はＯＦＦに、応答が返ってくる間はＯＮに設定される。ここで鍵フラグがＯＮでなくＯＦＦになっている場合には（Ｓ５：ＮＯ）、前回の呼び出しから継続して応答がない場合であるから、何らその後の処理は行わず、Ｓ３５に進む。
【００６４】
鍵フラグがＯＮになっている場合には（Ｓ５：ＹＥＳ）、今回はじめて応答がなくなったことを示しているので、鍵が引抜かれたと判断して、ＩＣタグにポーリングした時刻を鍵引抜時刻としてＥＥＰＲＯＭ５６ｄに記憶する（Ｓ７）。そして、鍵フラグをＯＦＦにする（Ｓ９）。次に、ＩＤコードと鍵引抜時刻にパチンコ機１を識別するコードを付加してＩ／Ｏインターフェース５６ｅ，ＬＡＮカード５６ｈから管理機１００にＬＡＮケーブル等の通信ケーブル１５０を介して送信する（Ｓ１１）。そして、ガラス枠１１１／本体枠１１０が閉じられたかどうかを判断する。このようにして、鍵が挿入された時点・引抜かれた時点で時刻とＩＤコードにより履歴を記憶し、管理機１００にデータを送信している。鍵１２１に内蔵した鍵用ＩＣタグ１２６のＩＤコードを鍵毎に用意すれば、どの鍵がいつどのパチンコ機１を開錠したかが記録され、鍵を不正使用した不正行為の発見に役立つ。
【００６５】
次に、Ｒ／Ｗユニット５６で行われる、ガラス枠１１１及び本体枠１１０の開閉状態を監視する監視処理について、図１７のフローチャートを参照して説明する。図１７は、ガラス枠１１１及び本体枠１１０の開閉状態を監視する監視処理のフローチャートである。ガラス枠１１１及び本体枠１１０について別個に処理が行われるが、処理の内容は同一である。
【００６６】
まず、Ｒ／Ｗユニット５６内のＣＰＵ５６ａは、ＲＦ回路５６ｇから開閉監視用アンテナ６８，１６８を介して、開閉監視用ＩＣタグ８６，１８６に呼出波を送信してポーリングし（Ｓ１０１）、開閉監視用ＩＣタグ８６，１８６がＩＤコード（識別データ）を返信してくるのを待つ。次に、開閉監視用ＩＣタグ８６，１８６から設定時間内に反射波が返ってきたかどうかを判断する（Ｓ１０３）。本実施形態では、待ち時間を５０ミリ秒に設定している。
【００６７】
開閉監視用ＩＣタグ８６，１８６から設定時間内に真正ＩＤコードが返信され、かつ、その応答が前回から継続していれば、ガラス枠１１１／本体枠１１０は開放されていないと判定できる。この判定は、具体的には、以下のように処理を行う。設定時間内に応答が返ってきた場合は（Ｓ１０３：ＹＥＳ）、返って来たＩＤコードが正しいものであるかどうかを判断し（Ｓ１１３）、ＩＤコードが正しい場合には（Ｓ１１３：ＹＥＳ）、ＩＤエラーフラグがＯＮにされているかどうかを判断する（Ｓ１２３）。ＩＤエラーフラグは、前回から継続して正しいＩＤが返信されてきたかどうかをチェックするものである。ＩＤエラーフラグがＯＮになっている場合には（Ｓ１２３：ＹＥＳ）、今回正しいＩＤコードに戻ったことを示しているので、ＩＤエラーフラグをＯＦＦにする（Ｓ１２５）。ＩＤエラーフラグがＯＦＦの場合には（Ｓ１２３：ＮＯ）、消失フラグがＯＮになっているかどうかを判断する（Ｓ１２７）。消失フラグは、前回設定時間内に開閉監視用ＩＣタグ８６，１８６から応答があったかどうかをチェックするものである。消失フラグがＯＦＦになっていれば（Ｓ１２７：ＮＯ）、前回も設定時間内に開閉監視用ＩＣタグ８６，１８６からＩＤコードが返信されている。従って、前回から継続して設定時間内に正しいＩＤコードが返信されているので、ガラス枠１１１／本体枠１１０は開放されていないと判定され、何ら記憶も行われず、管理機１００にデータの送信も行われない。そのままＳ１３５に進む。
【００６８】
時間内に応答が帰って来なかった場合は（Ｓ１０３：ＮＯ）、故障でなければ、開閉監視用ＩＣタグ８６，１８６が取り付けられたガラス枠１１１／本体枠１１０が開放されたと考えられるので、次に、鍵監視処理において正規の鍵１２１が挿入されているかどうかを鍵フラグがＯＮになっているかどうかにより確認する（Ｓ１０４）。鍵フラグがＯＮになっていれば（Ｓ１０４：ＹＥＳ）、正規の鍵１２１が挿入されて開錠された結果の正常な開放であるから、そのままＳ１３５に進む。鍵フラグがＯＦＦであれば（Ｓ１０４：ＮＯ）、不正な鍵による開錠かワイヤ等を使用したガラス枠１１１／本体枠１１０のこじ開けであると考えられる。この時点で異常な開放がなされたと判定されるが、この異常な開放状態が継続しているかどうかを次に判断する。異常な開放状態が継続していれば、後述のように開放時刻（消失時刻）の記憶や異常データの管理機への送信等が既に行われており、状態の変化がない場合に重ねて記憶したり送信を行うまでもない。これにより、記憶容量の節約になる。具体的には、ＥＥＰＲＯＭ５６ｄに記憶されている消失フラグがＯＦＦにされているかどうかを判断する（Ｓ１０５）。消失フラグは、ＩＣタグからの応答が返ってこない間はＯＮに、応答が返ってくる間はＯＦＦに設定される。ここで消失フラグがＯＦＦでなくＯＮになっている場合には（Ｓ１０５：ＮＯ）、前回の呼び出しから継続して応答がない場合であるから、何らその後の処理は行わず、Ｓ１３５に進む。
【００６９】
消失フラグがＯＦＦになっている場合には（Ｓ１０５：ＹＥＳ）、今回はじめて応答がなくなったことを示しているので、今まさにガラス枠１１１／本体枠１１０の開放がなされたと判断して、ＩＣタグにポーリングした時刻を消失時刻（開放時刻）としてＥＥＰＲＯＭ５６ｄに記憶する（Ｓ１０７）。そして、消失フラグをＯＮにする（Ｓ１０９）。次に、ＩＤコードと消失時刻を組にして管理機１００にＬＡＮケーブル等の通信ケーブル１５０を介して送信する（Ｓ１１１）。このようにして、異常が発生した時点で履歴を記憶し、管理機１００にデータを送信して管理機１００側で報知を行うようにしている。
【００７０】
設定時間内に応答が返ってきたが（Ｓ１０３：ＹＥＳ）、返って来たＩＤコードが正しいものでなければ（Ｓ１１３：ＮＯ）、開閉監視用ＩＣタグ８６，１８６の付け替えによる不正が行われた可能性がある。この時点でガラス枠１１１／本体枠１１０に異常があると判定されるが、応答が得られなかった場合と同様に、この異常な状態が継続しているかどうかを次に判断する。すなわち、ＩＤエラーフラグがＯＦＦにされているかどうかを判断する（Ｓ１１５）。ＩＤエラーフラグは、ＩＤコードが正しくない間はＯＮに設定される。ここでＩＤエラーフラグがＯＦＦでなくＯＮになっている場合には（Ｓ１１５：ＮＯ）、前回から継続してＩＤコードが正しくない場合であるので、何らその後の処理は行わず、Ｓ１３５に進む。
【００７１】
ＩＤエラーフラグがＯＦＦになっている場合には（Ｓ１１５：ＹＥＳ）、今回はじめてＩＤコードが正しくなくなったことを示しているので、ポーリング時刻をＩＤエラー発生時刻としてＥＥＰＲＯＭ５６ｄに記憶する（Ｓ１１７）。そして、ＩＤエラーフラグをＯＮにする（Ｓ１１９）。そして、ＩＤコードとＩＤエラー発生時刻を組にしてＩ／Ｏインターフェース５６ｅから管理機１００にＬＡＮケーブル等の通信ケーブル１５０を介して送信する（Ｓ１２１）。
【００７２】
設定時間内に応答があり（Ｓ１０３：ＹＥＳ）、返って来たＩＤコードも正しいもので（Ｓ１１３：ＹＥＳ）、消失フラグがＯＮになっている場合には（Ｓ１２７：ＹＥＳ）、前回応答がなかったものが今回応答してきた、すなわち、開放されていたガラス枠１１１／本体枠１１０が閉鎖されたことを示す。このため、今回の応答時刻を復帰時刻（閉鎖時刻）としてＥＥＰＲＯＭ５６ｄに記憶する（Ｓ１２９）。応答がなくなった時点で消失時刻を記憶しており、今回復帰時刻も記憶することでガラス枠１１１／本体枠１１０が開放されていた時間を算出することができる。ガラス枠１１１／本体枠１１０が閉鎖されたことで、突起部１３１ａ，１３２ａと係合部１３１ｂ，１３２ｂ、突起部１３３ａ，１３４ａと係合部１３３ｂ，１３４ｂが係合し、施錠される。さらに、施錠用ソレノイド１３５，１３６に流れる電流を遮断してＯＦＦにし（Ｓ１３０）、プランジャ１３５ａ，１３６ａを突き出して係止部材１３１，１３３が下方に移動できないようにする。これにより、図１６のフローチャートで説明したように、正しいＩＤを持たない鍵ではプランジャ１３５ａ，１３６ａにより阻止されるため、次に不正鍵が挿入されても開錠されることを防止できる。
【００７３】
次に、消失フラグをＯＦＦにする（Ｓ１３１）。そして、ＩＤコードと復帰時刻を組にして管理機１００にＬＡＮケーブル等の通信ケーブル１５０を介して送信する（Ｓ１３３）。次に、開閉監視処理終了かどうかを判断し（Ｓ１３５）、終了であれば（Ｓ１３５：ＹＥＳ）処理を終了し、終了でなければ（Ｓ１３５：ＮＯ）Ｓ１０１に戻って処理を継続する。
【００７４】
以上のように処理を行うことにより、前回の呼び出しから継続して設定時間内に真正ＩＤコードが返信されてくれば正常と判定して再びＩＤコードの呼び出しに戻る（Ｓ１０１）。また、設定時間内に応答がなく、鍵による正常な開放でない場合、又は、設定時間内に応答があっても正しいＩＤコードでない場合は、ガラス枠１１１／本体枠１１０に異常ありと判定するが、いずれの場合もその状態が前回から継続しているかどうかをチェックし、今回初めて状態変化が起こっている場合のみ時刻の記憶を行う。さらに、設定時間内に真正ＩＤコードが返信されてきても、前回が鍵による正常な開放でないのに応答のなかった場合には、正常であっても状態の変化があったとして時刻の記憶を行う。そして、記憶処理と併せて管理機１００へのデータの送信も行うようにしている。記憶やデータ送信を行う場合には、一連の処理が終了した後すぐにＳ１０１に戻って再びＩＤコードを呼び出す。このように常時ＩＣタグを呼び出して状態を判定し、判定結果に基づいて必要な処理を行うことによって、最小限の記憶容量でガラス枠１１１／本体枠１１０の異常をチェックし、状態の変化の履歴を記憶させて効率よく監視を行うことができる。
【００７５】
さらに、図１６に示す鍵の監視処理と、図１７に示す開閉監視処理の監視履歴を照合すると、各パチンコ機１について、（１）どの鍵を用いて、（２）いつ、（３）どれだけの時間、ガラス枠１１１／本体枠１１０が開放されたかを知ることができる。鍵を携帯している係員の勤務時間に合わせて各鍵の使用できる時間帯を定めておけば、使用可能時間外に鍵を使用して行われたガラス枠１１１／本体枠１１０の開放は不正行為の可能性が高く、遊技場側で詳細を調べて対処することが可能となる。
【００７６】
次に、管理機１００で行われる処理について図１８及び図１９のフローチャート及び図２０の履歴データベースに基づいて説明する。図１８及び図１９は、管理機１００の処理の概略を示すフローチャートであり、図２０は、管理機１００のＥＥＰＲＯＭ１０４に記憶される履歴データベースの模式図である。
【００７７】
遊技場が開店して管理機１００の電源が投入されると、Ｓ３０１〜Ｓ３１１の開店時処理を行う。まず、係員の入力を受け付け、パスワードやＩＤカード等の管理者権限が確認されたかどうかを判断する（Ｓ３０１）。管理者権限は、管理機１００のＥＥＰＲＯＭ１０４内に管理者権限データベースを記憶し、入力されたパスワードや係員のＩＤとデータベースに記憶されたパスワードやＩＤとを照合して判断する。管理者権限がない場合には（Ｓ３０１：ＮＯ）、処理を終了する。管理者権限がある場合には（Ｓ３０１：ＹＥＳ）、各パチンコ機１に付属したＲ／Ｗユニット５６をＬＡＮケーブルを介してポーリングする（Ｓ３０３）。そして、閉店時間中についての監視履歴を受信し（Ｓ３０５）、その履歴をＥＥＰＲＯＭ１０４の履歴データベースに記憶する（Ｓ３０７）。受信した履歴がエラー履歴を含んでいる場合には（Ｓ３０９：ＹＥＳ）、表示器１０７にそのエラーの内容を表示する（Ｓ３１１）。受信した履歴がエラー履歴を含んでいない場合には（Ｓ３０９：ＮＯ）、表示器１０７への表示は行わない。記憶された履歴は、不正な遊技球の大量供給等の他のエラーが発見された場合に、開閉を行った係員をチェックする等の目的に利用できる。
【００７８】
開店時処理終了後は、Ｓ３１２〜Ｓ３５１の営業中監視処理を繰り返し行う。まず、パチンコ機１に付属したＲ／Ｗユニット５６からデータを受信したかどうかを判断する（Ｓ３１２）。データを受信した場合は（Ｓ３１２：ＹＥＳ）、そのデータが開閉監視用ＩＣタグ８６，１８６の開閉監視履歴データかどうかを判断する（Ｓ３２６）。開閉監視履歴データの場合は（Ｓ３２６：ＹＥＳ）、ＩＤエラーデータであるかどうかを判断する（Ｓ３２７）。ＩＤエラーデータの場合は（Ｓ３２７：ＹＥＳ）、そのＩＤコードから、パチンコ機１の台番とＩＤエラーのＩＣタグの設置場所（種別）を判別し、これらの情報とＩＤエラー時刻をＥＥＰＲＯＭ１０４の履歴データベースに記憶する（Ｓ３２９）。履歴データベースは、図２０に示すように、ＩＤコード、パチンコ機１の台番、ＩＣタグの設置場所（種別）、鍵挿入時刻、鍵引抜時刻、鍵挿入時刻から鍵引抜時刻までの在鍵時間、消失時刻、復帰時刻、消失時刻から復帰時刻までの識別不能時間、ＩＤエラー時刻を１週間程度分記憶しているものである。そして、表示器１０７に「○○番台本体枠ＩＤエラー」のようなエラー表示を行い（Ｓ３３５）、該当の警告ランプを点灯する（Ｓ３３７）。警告ランプが点灯され表示器１０７にエラー表示がなされることにより、巡回中の遊技場の係員等がガラス枠１１１や本体枠１１０の状態を知ることができ、該当のパチンコ機１に赴いて状態を調べることができる。
【００７９】
受信したデータが開閉監視履歴のＩＤエラーデータでない場合には（Ｓ３２７：ＮＯ）、ＩＤコードと消失時刻との組である消失データであるかどうかを判断する（Ｓ３３１）。消失データの場合は（Ｓ３３１：ＹＥＳ）、そのＩＤコードからパチンコ機１の台番と消失したＩＣタグの設置場所（種別）を判別し、これらの情報と消失時刻をＥＥＰＲＯＭ１０４の履歴データベースに記憶する（Ｓ３３３）。次いで、表示器１０７に図１３に示すように、「○○番台本体枠不正開放」のようなエラー表示を行い（Ｓ３３５）、該当の警告ランプを点灯する（Ｓ３３７）。
【００８０】
受信したデータが消失データでない場合は（Ｓ３３１：ＮＯ）、一旦通信不能状態になっていたＩＣタグが再び通信可能になった復帰データであるから、送られてきたＩＤコードを履歴データベースで検索し、該当レコードに復帰時刻を記憶し（Ｓ３３９）、さらに消失時刻から復帰時刻までの識別不能時間を計算して記憶する。
【００８１】
開閉監視履歴データでない場合は（Ｓ３２６：ＮＯ）、鍵１２１を監視した結果の鍵監視履歴データであるから、まず、それがＩＤエラーデータであるかどうかを判断する（Ｓ３４１）。ＩＤエラーデータの場合は（Ｓ３４１：ＹＥＳ）、ＩＤコードとＩＤエラー時刻をＥＥＰＲＯＭ１０４の履歴データベースに記憶し（Ｓ３４３）、表示器１０７に「○○番台不正鍵挿入」のようなエラー表示を行い（Ｓ３３５）、該当の警告ランプを点灯する（Ｓ３３７）。警告ランプが点灯され表示器１０７にエラー表示がなされることにより、巡回中の遊技場の係員等が不正な鍵が用いられたことを知ることができる。
【００８２】
ＩＤエラーデータでない場合は（Ｓ３４１：ＮＯ）、正規の鍵が挿入された時の履歴データである鍵挿入データかどうかを判断する（Ｓ３４５）。鍵挿入データの場合は（Ｓ３４５：ＹＥＳ）、ＩＤコードとパチンコ機１の台番、鍵挿入時刻を記憶する（Ｓ３４７）。鍵挿入データでない場合は（Ｓ３４５：ＮＯ）、鍵が引抜かれた時点の鍵引抜データであるから、ＩＤコードと鍵引抜時刻を記憶するとともに、同一のＩＤコードで鍵挿入時刻又は不正鍵挿入時刻が記憶されていれば、鍵引抜時刻との差を算出して在鍵時間を算出し、記憶する（Ｓ３４９）。
【００８３】
Ｒ／Ｗユニット５６からデータを受信していない場合は（Ｓ３１２：ＮＯ）、遊技場の係員等によるマニュアル操作を受け付けたかどうかを判断する（Ｓ３１３）。マニュアル操作でなければ（Ｓ３１３：ＮＯ）、Ｓ３１２に戻る。マニュアル操作を受け付けた場合は（Ｓ３１３：ＹＥＳ）、管理者権限が確認されたかどうかを判断する（Ｓ３１５）。管理者権限がない場合には（Ｓ３１５：ＮＯ）、Ｓ３１２に戻る。管理者権限がある場合には（Ｓ３１５：ＹＥＳ）、表示器１０７の表示を消去するクリアボタン１１０が押下されたかどうかを判断する（Ｓ３１７）。表示消去であれば（Ｓ３１７：ＹＥＳ）、表示器１０７のエラー表示を消去する（Ｓ３１９）。管理機１００の表示器１０７は、図１１に示すように、パチンコ機１の台番と、枠の開放の場合にはガラス枠１１１か本体枠１１０かの別が、不正鍵の場合にはその旨が表示され、同時にガラス枠１１１の場合は警告ランプ１０８ｂが、本体枠１１０の場合は警告ランプ１０８ａが点灯される。このような報知を受けて遊技場の係員等が場内で対応した場合には、それ以降の表示は不要となるので、マニュアル操作により表示を消去するものである。
【００８４】
表示消去でなければ（Ｓ３１７：ＮＯ）、履歴データのクリア処理かどうかを判断する（Ｓ３２１）。開閉監視用ＩＣタグやＲ／Ｗユニット５６内に記憶された監視履歴データは、予め定めた期間を経過した後、クリア指令を受けるとクリアされ、新しい監視履歴データが記憶できるように構成されている。監視履歴データを遊技場管理用ホールコンピュータ３００に送信した後は、開閉監視用ＩＣタグやＲ／Ｗユニット５６や管理機１００内に履歴を記憶させておく必要はないので、定期的にクリア処理を行うことにより、少ない記憶容量で構成することができる。監視履歴データのクリア処理であれば（Ｓ３２１：ＹＥＳ）、開閉監視用ＩＣタグやＲ／Ｗユニット５６，管理機１００のＥＥＰＲＯＭ１０４に記憶された監視履歴データを消去する（Ｓ３２３）監視。履歴データのクリア処理でなければ（Ｓ３２１：ＮＯ）、Ｒ／Ｗユニット５６にポーリングし（Ｓ３２５）、データの受信を待つ（Ｓ３１２）。Ｒ／Ｗユニット５６の呼び出しは、管理機１００のキーボードを操作して行う。このようにして、遊技場の係員等が監視対象となっているガラス枠１１１／本体枠１１０の状態を随時確認することができる。
【００８５】
次いで、処理を終了するかどうかを判断し（Ｓ３４１）、終了の場合は（Ｓ３４１：ＹＥＳ）、全体の処理を終了し、終了でなければ（Ｓ３４１：ＮＯ）、Ｓ３２７に戻ってデータの受信を待つ。
【００８６】
７．実施の形態の効果
以上説明したように、本実施形態の管理システムによれば、管理機１００に接続されたパチンコ機１のガラス枠１１１／本体枠１１０に開閉監視用ＩＣタグを設置し、Ｒ／Ｗユニット５６からほぼ常時にそれぞれの開閉監視用ＩＣタグに呼出波を送信してその開閉監視用ＩＣタグの識別データを乗せた反射波を応答させ、応答がなくなった場合（消失）や、再び応答するようになった場合（復帰）にその開閉監視用ＩＣタグのＩＤコードと消失時刻・復帰時刻を管理機１００に送信させるように構成している。また、鍵１２１には鍵用ＩＣタグ１２６を内蔵し、正規のＩＤコードが応答された場合のみ施錠用ソレノイドをＯＮしてプランジャを引き、開錠させるようにしている。また、鍵固有のＩＤコードについて挿入と引抜の時刻を記憶させ、パチンコ機１の識別コードとともに管理機１００に送り、鍵の使用履歴を管理し、鍵の不正使用や複製鍵による不正行為を発見・防止することができる。また、このような監視履歴データの送信を受けた管理機１００では、この内容を記憶するとともに、表示器１０７に表示するようにして、係員等の注意を促し、不正行為の早期発見や防止に役立てることができる。
【００８７】
８．変形例の説明
尚、本発明は、以上詳述した実施の形態に限定されるものではなく、種々の変更が可能である。以下に、本発明を適用する実施の形態の変形例について説明する。まず、本実施形態では、有線の通信ケーブル１５０を用いてＲ／Ｗユニット５６と管理機１００とを接続しているが、赤外線通信や無線通信等の無線接続でも同様に構成できる。また、上記実施形態では、遊技機設置島毎に管理機１００を１台設置する構成としたが、複数の島でまとめて管理機１００を１台設置してもよいし、遊技場全体を管理する遊技場管理用ホールコンピュータ３００に管理機を兼ねさせるように構成してもよい。尚、パチンコ機１の各種遊技情報は、Ｒ／Ｗユニット５６や管理機１００を経由せず、ホールコンピュータ３００に直接送信するように構成すれば、上記実施の形態と同様の効果を実現できる。
【００８８】
Ｒ／Ｗユニット５６は、センターカバー９０の外側に限らず、パチンコ機１のその他の場所に設置してもよいし、島設備に備え付けるようにしてもよい。また、パチンコ機１に１台のＲ／Ｗユニット５６を用意するのではなく、島に１台又は複数台のＲ／Ｗユニット５６を設け、複数のパチンコ機１に設置されたＩＣタグを監視するように構成してもよい。さらに、Ｒ／Ｗユニット５６は、島設備から電源供給を受けるのではなく、主制御基板４１やバックアップ電源を持つ電源基板４２等のパチンコ機１側から電源供給を受けるように構成してもよい。パチンコ機１の主制御基板４１から電源供給を受けるように構成した場合には、営業終了後パチンコ機１の電源が落とされるとパチンコ機１のバックアップ電源から電源をもらって監視処理を継続することができる。また、Ｒ／Ｗユニット５６の中にバックアップ電源を持つように構成し、営業中に充電を行い、閉店後はそのバックアップ電源を使用するようにしてもよい。
【００８９】
開閉監視用ＩＣタグや鍵用ＩＣタグは、上記実施形態のような薄い小型長方形やスティック型の物に限らず、例えばコイン型等、形状や大きさを自由に構成することができる。また、上記実施形態のような電磁誘導方式に限定されず、電磁結合方式やマイクロ波方式、光方式等、様々な方式を利用可能である。また、開閉監視用ＩＣタグや監視用アンテナの取り付け位置は、上記実施の形態に示した位置に限らず、本体枠１１０、ガラス枠１１１、木枠１１２の対向する面であればどこでもよい。また、開閉監視用ＩＣタグと監視用アンテナの通信可能距離は、上記実施形態のような約５ｍｍに限定されず、ＩＣタグの監視場所により任意に調節可能である。
【００９０】
上記実施の形態における監視処理では、ＩＣタグから反射波が返答されてくるのを待つ待ち時間を５０ミリ秒に設定しているが、これに限定されず、リアルタイムに監視できる数ミリ秒〜数秒の範囲で変更可能である。また、鍵挿入時刻，鍵引抜時刻、ＩＤエラー時刻、消失時刻，復帰時刻をＲ／Ｗユニット５６のＥＥＰＲＯＭ５６ｄに記憶するように構成しているが、Ｒ／Ｗユニット５６内にハードディスクを設けて記憶させてもよいし、光メディア等の他の記憶媒体を使用してもよい。また、ＲＡＭ５６ｂに一旦記憶し、データを管理機に送信した後にＲＡＭ５６ｂをクリアするように構成してもよい。このように構成すれば、ＥＥＰＲＯＭ５６ｄは不要となる。また、開閉監視用ＩＣタグから応答がなかった場合に、ポーリング時刻を消失時刻としてＲ／Ｗユニット５６のＲＡＭ５６ｂに一旦記憶しておき、復帰した場合に復帰時刻と合わせて開閉監視用ＩＣタグ８６，１８６のＥＥＰＲＯＭ８６ｃに記憶させるようにしてもよい。このように構成すると、履歴を管理機と二重に保持することになるので、万一管理機内のデータが消えてしまった場合にも履歴が残ることになる。さらに、その開閉監視用ＩＣタグをパチンコ機１のメーカーへ返却すれば、履歴をメーカー側でも管理できる。さらに、開閉監視用ＩＣタグ８６の内部に電源を持たせ、ＥＥＰＲＯＭ５６ｄに記憶すると同時にＥＥＰＲＯＭ８６ｃに記憶したり、ＥＥＰＲＯＭ５６ｄに記憶する代わりにＥＥＰＲＯＭ８６ｃに記憶するようにしてもよい。また、営業中は、管理機１００に結果を送信するのみで、ＲＡＭやＥＥＰＲＯＭ８６ｃに記憶させず、閉店後のみ記憶するようにしてもよい。また、管理機１００の処理において、データの受信内容を記憶して表示器への表示と警告ランプの点灯をするのみにとどめているが、記憶内容を遊技場管理用ホールコンピュータ３００に送信して１ヶ月程度記憶させたり、外部の記憶装置に送信するように構成してもよい。尚、識別不能時間の算出は、管理機１００でなく、Ｒ／Ｗユニット５６で行い、復帰データとともにＲ／Ｗユニット５６から管理機１００に送信するようにしてもよい。
【００９１】
また、鍵の監視処理において正規のＩＤコードを有する鍵が挿入された場合に、施錠用ソレノイドをＯＮして開錠するようにしているが、さらに、鍵の使用できる時間帯を定めておき、これをあらかじめＲ／Ｗユニット５６に記憶させておいて、使用時間外の場合には開錠しないようにしてもよい。この場合は、図１６のＳ３４の前にポーリング時刻を使用可能時間と照合し、使用可能時間内であるかどうかを判断するステップを追加すればよい。このように構成することで、正規の鍵を不正に用いてガラス枠１１１や本体枠１１０を開放し、不正ＲＯＭ等に交換するような不正行為が夜間等の営業時間外に行われることを防止することができる。
【００９２】
【発明の効果】
上記説明から明らかなように、請求項１に記載の施錠システムによれば、ＩＣタグ監視装置に備えられた第１送信手段が鍵が挿入される錠に設けた鍵用アンテナを介して呼出波を送信して鍵に内蔵した施錠用ＩＣタグを呼び出すと、施錠用ＩＣタグは記憶しているＩＤコード等の識別データを含む反射波を返すので、この通信が可能であるか否か、識別データが真正であるか否かにより正常か異常か（正規の鍵の挿入かどうか）を判定することができる。従って、正規の鍵にはＩＣタグを内蔵しておくと、複製鍵を用いた場合には通信不能であるから、不正な開放を検知したり履歴に残すことができる。さらに、複数の鍵のＩＤコードを登録しておき、どの鍵を用いて開錠がなされたかを履歴として残すようにすれば、いつ、どの鍵が使用されて不正行為が行われたかを発見することもできる。
【００９３】
請求項２に記載の施錠システムによれば、請求項１に記載の発明の効果に加え、第２受信手段が鍵判定結果を受信して、正常な場合には開錠手段が開錠を行うので、複製鍵等の正規のＩＤコードを持たない不正鍵を用いた場合には開錠することができず、開錠後の不正行為を防止することができる。
【００９４】
請求項３に記載の施錠システムによれば、請求項１又は２に記載の発明の効果に加え、鍵監視履歴を外部から参照し、異常と判定された場合に光や音等で報知する等して注意を喚起することができる。
【００９５】
請求項４に記載の施錠システムによれば、請求項１乃至３のいずれかに記載の発明の効果に加え、常には開閉監視用ＩＣタグを監視用アンテナから通信可能な位置に設置しておくと、ＩＣタグを固着した部材が通信可能な範囲外へ移動する等した場合には、反射波が受信できなくなり、通信不能となる。また、通信不能状態から、通信可能範囲内の位置へ再び復帰すると反射波が受信できるようになる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【００９６】
請求項５に記載の施錠システムによれば、請求項４に記載の発明の効果に加え、報知手段が鍵判定結果及び開閉判定結果の双方が異常であった場合に報知を行うので、複製鍵等正規の鍵を用いずに装置を開放した場合、鍵を用いずに装置をこじ開けたような場合には、光や音等種々の方法で報知され、注意を喚起することができる。
【００９７】
請求項６に記載の施錠システムによれば、請求項４又は５に記載の発明の効果に加え、開閉監視用ＩＣタグと監視用アンテナとが開閉部材とその近傍の装置本体とに別個に設けられ、開閉部材が閉鎖状態のときには通信可能であり開閉部材が開けられると通信不能となる。これを外部に出力したり、記憶して履歴を取ったりすることにより、装置内部にある基板の交換等を目的とした不正な開放を検知することができる。すぐに報知するように構成すれば、不正行為の早期発見に役立つ。
【００９８】
請求項７に記載の施錠システムによれば、請求項４乃至６のいずれかに記載の発明の効果に加え、出力された監視履歴データを外部装置において報知を行ったり、外部装置側で記憶して開閉監視用ＩＣタグの監視履歴を後から参照することができる。また、不正が行われた正確な時刻を知ることができるため、監視システムの設置された装置のある遊技場等に監視カメラが設置されている場合には、監視カメラの撮影時刻と照合すれば、不正行為をなした人物を特定することも可能である。
【００９９】
請求項８に記載の施錠システムによれば、正規の鍵にＩＣタグを内蔵しておくと、正規の鍵を使用して装置を開放した場合には正常とされるが、複製鍵を用いた場合や鍵を用いずにこじ開けた場合には異常となるから、不正な開放を検知したり履歴に残すことができる。さらに、複数の鍵のＩＤコードを登録しておき、どの鍵を用いて開錠がなされたかを履歴として残すようにすれば、いつ、どの鍵が使用されて不正行為が行われたかを発見することもできる。
【０１００】
請求項９に記載の遊技機によれば、請求項１乃至８のいずれかに記載の発明の効果を奏することができる。
【０１０１】
請求項１０に記載の装置管理システムによれば、請求項１乃至７のいずれかに記載の発明の効果に加え、個々の装置の監視履歴データを管理機側で把握して早期に対応することが可能になる。
【０１０２】
請求項１１に記載の装置管理システムによれば、請求項１０に記載の発明の効果に加え、個々の装置の監視履歴データを管理機側で一括して記憶し、ＩＣ監視装置の記憶内容をクリアしたり、複数の装置の監視履歴を比較したりする等、柔軟な対応が可能になる。
【０１０３】
請求項１２に記載の装置管理システムによれば、請求項１０又は１１に記載の発明の効果に加え、複数の装置の監視履歴をまとめて一ヶ所で表示したり、警告ランプや音等で報知したりして不正行為等に効率的に対応できる。
【図面の簡単な説明】
【図１】管理システム２００のシステム構成図である。
【図２】パチンコ機１の正面図である。
【図３】パチンコ機１の遊技盤２の正面図である。
【図４】パチンコ機１の背面図である。
【図５】Ｒ／Ｗユニット５６の分解斜視図である。
【図６】パチンコ機１のガラス枠１１１及び本体枠１１０を開いた状態の斜視図である。
【図７】パチンコ機１のガラス枠１１１及び本体枠１１０を開いた状態の斜視図である。
【図８】ＩＣタグ８６，１８６の平面図である。
【図９】本体枠１１０下部の部分斜視図である。
【図１０】鍵１２１の平面図である。
【図１１】管理機１００の正面図である。
【図１２】パチンコ機１の電気的回路構成を示すブロック図である。
【図１３】Ｒ／Ｗユニット５６の電気的回路構成を示すブロック図である。
【図１４】ＩＣタグ８６の電気的回路構成を示すブロック図である。
【図１５】管理機１００の電気的回路構成を示すブロック図である。
【図１６】鍵１２１の状態を監視する監視処理のフローチャートである。
【図１７】ガラス枠１１１／本体枠１１０の開閉状態を監視する監視処理のフローチャートである。
【図１８】管理機１００の処理の概略を示すフローチャートの前半である。
【図１９】管理機１００の処理の概略を示すフローチャートの後半である。
【図２０】履歴データベースの模式図である。
【符号の説明】
１　パチンコ機
２　遊技盤
４１　主制御基板
４２　電源基板
５０　ＬＳＩ
５１　ＣＰＵ
５２　ＲＡＭ
５３　ＲＯＭ
５５　出力ポート
５６　Ｒ／Ｗユニット
５６ａ　ＣＰＵ
５６ｂ　ＲＡＭ
５６ｃ　ＲＯＭ
５６ｄ　ＥＥＰＲＯＭ
５６ｇ　ＲＦ回路
５６ｈ　ＬＡＮカード
５６ｉ　入力ポート
５６ｋ　同軸ケーブル
６８　監視用アンテナ
６９　７セグメント表示器
８０　基板ボックス
８６　開閉監視用ＩＣタグ
８６ｃ　ＥＥＰＲＯＭ
１００　管理機
１０４　ＥＥＰＲＯＭ
１０６　通信回路
１０７　表示器
１０８　警告ランプ
１１０　本体枠
１１１　ガラス枠
１１２　木枠
１２０　鍵穴
１２１　鍵
１２６　鍵用ＩＣタグ
１２８　鍵用アンテナ
１３１　係止部材
１３２　係止部材
１３３　係止部材
１３４　係止部材
１３５　施錠用ソレノイド
１３５ａ　プランジャ
１３６　施錠用ソレノイド
１３６ａ　プランジャ
１６８　監視用アンテナ
１８６　開閉監視用ＩＣタグ
２００　管理システム
３００　遊技場管理用ホールコンピュータ
【図１】
2004084468.tif 000003
【図２】
2004084468.tif 000004
【図３】
2004084468.tif 000005
【図４】
2004084468.tif 000006
【図５】
2004084468.tif 000007
【図６】
2004084468.tif 000008
【図７】
2004084468.tif 000009
【図８】
2004084468.tif 000010
【図９】
2004084468.tif 000011
【図１０】
2004084468.tif 000012
【図１１】
2004084468.tif 000013
【図１２】
2004084468.tif 000014
【図１３】
2004084468.tif 000015
【図１４】
2004084468.tif 000016
【図１５】
2004084468.tif 000017
【図１６】
2004084468.tif 000018
【図１７】
2004084468.tif 000019
【図１８】
2004084468.tif 000020
【図１９】
2004084468.tif 000021
【図２０】
2004084468.tif 000022